(57)【特許請求の範囲】
【請求項１】
音声付動画データを取得する取得手段と、
前記取得手段により取得された音声付動画データの動画フレームを表示手段に表示させる表示制御手段と、
前記表示制御手段により表示された動画フレームに対応する所定範囲の音声をリピート再生する再生手段と、
リピート再生させる音声の前記所定範囲を任意に設定するための範囲設定手段と、
ユーザが前記表示手段に表示された動画フレームを編集コマとして決定するための決定手段と、
前記決定手段により編集コマが決定された場合は、該決定された編集コマ前、又は、後の動画フレームに加工処理を施す加工手段と、
を備えた動画処理装置であって、
前記範囲設定手段は、
前記加工手段により加工処理が施される側の音声か、加工処理が施されない側の音声かを設定する手段も含み、該設定された側に基づいて前記所定範囲を設定することを特徴とする動画処理装置。
【請求項２】
コンピュータに、
音声付動画データを取得する取得手順、
前記取得手順により取得された音声付動画データの動画フレームを表示部に表示させる表示手順、
前記表示手順により表示された動画フレームに対応する所定範囲の音声をリピート再生する再生手順、
リピート再生させる音声の前記所定範囲を任意に設定するための範囲設定手順、
ユーザが前記表示手段に表示された動画フレームを編集コマとして決定するための決定手順、
前記決定手順により編集コマが決定された場合は、該決定された編集コマ前、又は、後の動画フレームに加工処理を施す加工手順、
を実行させるためのプログラムであって、
前記範囲設定手順は、
前記加工手順により加工処理が施される側の音声か、加工処理が施されない側の音声かを設定する手順も含み、該設定された側に基づいて前記所定範囲を設定することを特徴とするプログラム。
【発明の詳細な説明】
【技術分野】
【０００１】
本発明は、動画処理装置及びそのプログラムに係り、詳しくは、動画像データの編集ポイントを決める動画処理装置及びそのプログラムに関する。
【背景技術】
【０００２】
近年、被写体の動画撮影を行なうとともに被写体の音声をも録音することができるデジタルカメラが普及している。
また、この音声付動画データを編集したい（カットしたい）場合は、丁度区切りのいい画像のコマを選択し、選択されたコマの前、又は後の動画データを削除することにより行なわれた。
また、動画像中の音声レベルを時間軸に沿って波形表示し、時間軸上の動画像再生時間に対応する位置に現在再生位置を示す固定されたマークを表示し、動画像の再生速度に合わせて音声波形を移動表示させることにより、従来に比べ簡易に編集タイムポイントを探すことができる技術が開発された（特許文献１）。
【０００３】
【特許文献１】公開特許公報  特開２００５−２６０３９１号
【発明の開示】
【発明が解決しようとする課題】
【０００４】
しかしながら、従来の技術によれば、画像を基準として編集を行なうため、編集により音がぶつぎれ状態（不自然に音が途切れる状態）になるという問題点があった。
また、上記特許文献１の技術によれば、音がぶつぎれ状態となることは防げるが、表示される音声波形を見ながら編集タイムポイントを探しださなければならず、一般のユーザにとっては、音声波形がどの音（言葉）に対応しているのか分からず、余計に編集に時間がかかり、場合によっては編集をすることができないという問題点あった。
【０００５】
そこで本発明は、かかる従来の問題点に鑑みてなされたものであり、簡易に音を優先した編集ポイントを決めることができる動画処理装置及びそのプログラムを提供することを目的とする。
【課題を解決するための手段】
【０００６】
上記目的達成のため、請求項１記載の発明による動画処理装置は、音声付動画データを取得する取得手段と、
前記取得手段により取得された音声付動画データの動画フレームを表示手段に表示させる表示制御手段と、
前記表示制御手段により表示された動画フレームに対応する所定範囲の音声をリピート再生する再生手段と、
リピート再生させる音声の前記所定範囲を任意に設定するための範囲設定手段と、
ユーザが前記表示手段に表示された動画フレームを編集コマとして決定するための決定手段と、
前記決定手段により編集コマが決定された場合は、該決定された編集コマ前、又は、後の動画フレームに加工処理を施す加工手段と、
を備えた動画処理装置であって、
前記範囲設定手段は、
前記加工手段により加工処理が施される側の音声か、加工処理が施されない側の音声かを設定する手段も含み、該設定された側に基づいて前記所定範囲を設定することを備えたことを特徴とする。

【００１６】
上記目的達成のため、請求項２記載の発明によるプログラムは、コンピュータに、
音声付動画データを取得する取得手順、
前記取得手順により取得された音声付動画データの動画フレームを表示部に表示させる表示手順、
前記表示手順により表示された動画フレームに対応する所定範囲の音声をリピート再生する再生手順、
リピート再生させる音声の前記所定範囲を任意に設定するための範囲設定手順、
ユーザが前記表示手段に表示された動画フレームを編集コマとして決定するための決定手順、
前記決定手順により編集コマが決定された場合は、該決定された編集コマ前、又は、後の動画フレームに加工処理を施す加工手順、
を実行させるためのプログラムであって、
前記範囲設定手順は、
前記加工手順により加工処理が施される側の音声か、加工処理が施されない側の音声かを設定する手順も含み、該設定された側に基づいて前記所定範囲を設定することを特徴とする。
【発明の効果】
【００１７】
本願発明によれば、音声付動画データを取得する取得手段と、前記取得手段により取得された音声付動画データの動画フレームを表示手段に表示させる表示制御手段と、前記表示制御手段により表示された動画フレームに対応する所定範囲の音声をリピート再生する再生手段と、を備えるようにしたので、音声を優先とした編集ポイントを簡単に決めることができる。
【発明を実施するための最良の形態】
【００１８】
以下、本実施の形態について、本発明の動画処理装置をデジタルカメラに適用した一例として図面を参照して詳細に説明する。
[実施の形態]
Ａ．デジタルカメラの構成
図１は、本発明の動画処理装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ（timing
generator）６、ユニット回路７、画像生成部８、ＣＰＵ９、キー入力部１０、メモリ１１、ＤＲＡＭ１２、フラッシュメモリ１３、画像表示部１４、音声処理部１５、バス１６を備えている。
【００１９】
撮影レンズ２は、複数のレンズ群から構成されるフォーカスレンズ２ａ、ズームレンズ２ｂ等を含む。そして、撮影レンズ２にはレンズ駆動ブロック３が接続されている。レンズ駆動ブロック３は、フォーカスレンズ２ａ、ズームレンズ２ｂをそれぞれ光軸方向に駆動させるフォーカスモータ、ズームモータと、ＣＰＵ９から送られてくる制御信号にしたがって、フォーカスモータ、ズームモータを駆動させるフォーカスモータドライバ、ズームモータドライバから構成されている（図示略）。
【００２０】
ＣＣＤ４は、ドライバ５によって駆動され、一定周期毎に被写体像のＲＧＢ値の各色の光の強さを光電変換して撮像信号としてユニット回路７に出力する。このドライバ５、ユニット回路７の動作タイミングはＴＧ６を介してＣＰＵ９により制御される。
【００２１】
ユニット回路７には、ＴＧ６が接続されており、ＣＣＤ４から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８に送られる。
【００２２】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ９に送られる。つまり、画像生成部８は、ＣＣＤ４から出力された画像データに対して画像処理を施す。
【００２３】
ＣＰＵ９は、画像生成部８から送られてきた画像データの圧縮・伸張（例えば、ＪＰＥＧ形式、ＭＰＥＧ形式の圧縮・伸張）処理、リピート再生処理、動画データ及び音声の削除処理を行う機能を有するとともに、デジタルカメラ１の各部を制御するワンチップマイコンである。
特に、ＣＰＵ９は、複数のフレームからなる動画データのうち、ユーザによって選択されたフレームの表示を行ったり、該表示させたフレームに基づく範囲の音声をリピート再生させたりする機能を有する。
【００２４】
キー入力部１０は、シャッタボタン、電源オンオフキー、モード切替キー、十字キー、ＳＥＴキー等の複数の操作キーを含み、ユーザのキー操作に応じた操作信号をＣＰＵ９に出力する。
メモリ１１には、ＣＰＵ９が各部を制御するのに必要な制御プログラム（例えば、リピート再生に必要なプログラム）、及び必要なデータが記録されており、ＣＰＵ９は、該プログラムに従い動作する。
【００２５】
ＤＲＡＭ１２は、ＣＣＤ４によって撮像された後、ＣＰＵ９に送られてきた画像データを一時記憶するバッファメモリとして使用されるとともに、ＣＰＵ９のワーキングメモリとして使用される。
フラッシュメモリ１３は、圧縮された画像データを保存する記録媒体である。
【００２６】
画像表示部１４は、カラーＬＣＤとその駆動回路を含み、撮影待機状態にあるときには、ＣＣＤ４によって撮像された被写体をスルー画像として表示し、記録画像の再生時には、フラッシュメモリ１３から読み出され、伸張された記録画像を表示させる。
【００２７】
音声処理部１５は、内蔵マイク、アンプ、Ａ／Ｄ変換器、Ｄ／Ａ変換器、アンプ、内蔵スピーカ等を含み、音声付動画撮影時には、内蔵マイクに入力された音声をデジタル信号に変換してＣＰＵ９に送る。ＣＰＵ９は、送られてきた音声データをバッファメモリ（ＤＲＡＭ１２）に順次記憶し、該記憶した音声データを撮影された動画データと関連付けてフラッシュメモリ１３に記録する。
また、音声処理部１５は、音声付動画再生時には、音データに基づく音声等を内蔵スピーカから放音するとともに、ＣＰＵ９は、該音データに関連付けられて記録されている画像を画像表示部１４に表示させる。また、同様に動画編集モードにおいても、表示されたフレームに対応する音声を含む一定時間の音声を繰り返し内蔵スピーカから放音する（リピート再生）。
【００２８】
Ｂ．デジタルカメラ１の動作
実施の形態におけるデジタルカメラ１の動作を図２のフローチャートに従って説明する。
ユーザのキー入力部１０の操作の電源オンオフキーの操作により電源がオンされると、ＣＰＵ９は、ユーザのモード切替キーの操作によって動画編集設定モードが設定されたか否かを判断する（ステップＳ１）。
【００２９】
ステップＳ１で、動画編集設定モードが設定されたと判断すると、ＣＰＵ９は、ユーザによって指定された時間をリピート再生時間として設定する（ステップＳ２）。このとき、ＣＰＵ９は、ユーザに時間を指定させるための画面を画像表示部１４に表示させ、ユーザはこの画面を見ながら、十字キー、ＳＥＴキーの操作をすることにより時間を指定することができ、ＣＰＵ９はユーザの操作に従ってリピート再生時間を設定する。
このリピート再生時間とは、リピート再生を行なう時間のことではなく、リピート再生の対象となる音声の時間のことをいう。例えば、リピート再生時間が５秒と設定された場合は、後述する選択したコマの音声から５秒間（録音時と同じスピードで再生されるときの５秒間）の音声をリピート再生することとなる。
【００３０】
次いで、ＣＰＵ９は、ユーザによって指定されたスピードをリピート再生スピードとして設定する（ステップＳ３）。このとき、ＣＰＵ９は、ユーザにスピードを指定させるための画面を画像表示部１４に表示させ、ユーザはこの画面を見ながら、十字キー、ＳＥＴキーの操作をすることによりスピードを指定することができ、ＣＰＵ９はユーザの操作に従ってリピート再生スピードを設定する。
このリピート再生スピードの設定は、遅い、やや遅い、普通、やや早い、早い等の段階的にスピードを設定することができる。リピート再生スピードとして普通が設定された場合は、録音したときの音声のスピードと同じスピードで再生される。
【００３１】
次いで、ＣＰＵ９は、ユーザによって指定された方向（前又は後）をリピート再生方向として設定して（ステップＳ４）、ステップＳ１に戻る。このユーザが指定できる範囲としては、「前」又は「後」の２通りであり、例えば、「前」が指定された場合は、後述する選択したフレームの音声の時間軸の位置以前の音声がリピート再生され、「後」が選択された場合は、選択したフレームの音声の時間軸の位置以後の音声がリピート再生されることとなる。
また、このとき、ＣＰＵ９は、画像表示部１４にリピート再生方向を指定させるための画面を表示させ、ユーザは十字キー、ＳＥＴキーの操作を行なうことによりリピート再生方向の指定を行なうことができ、ＣＰＵ９は、ユーザの操作に基づいてリピート再生方向が指定されたか否かを判断する。
このリピート再生時間とリピート再生方向とによりリピート再生する音声の範囲が定まることになる。
【００３２】
一方、ステップＳ１で、動画編集設定モードが設定されていないと判断すると、ＣＰＵ９は、動画編集モードが設定されたか否かを判断する（ステップＳ５）。
ステップＳ５で、動画編集モードが設定されていないと判断すると他の処理へ進み、動画編集モードが設定されたと判断するとフラッシュメモリ１３に記録されている音声付動画データ（ファイル名やサムネイル画像等であってもよい）を画像表示部１４に一覧表示（又は順次表示）させる（ステップＳ６）。
次いで、ＣＰＵ９は、ユーザによって動画データの選択が行なわれたか否かを判断する（ステップＳ７）。このとき、ユーザは十字キー、ＳＥＴキーの操作を行なうことにより動画データの選択を行なうことができ、ＣＰＵ９は、ユーザの操作に基づいて動画データが選択されたか否かを判断する。
【００３３】
ステップＳ７で、動画データが選択されていないと判断すると選択されるまでステップＳ７に留まり、動画データが選択されたと判断すると、ＣＰＵ９は、該選択された動画データの最初のコマ（動画フレーム）を選択して画像表示部１４に表示させる（ステップＳ８）。このとき、ＣＰＵ９は、動画フレーム選択バーも画像表示部１４に表示させる。この動画フレーム選択バーは、後述する編集コマが決定されるまで表示させる。この動画フレーム選択バーとは、ユーザに任意のコマを選択させるためのバーのことをいう。
【００３４】
次いで、ＣＰＵ９は、該コマを表示させてから所定時間（例えば、３秒）が経過したか否かを判断する（ステップＳ９）。
ステップＳ９で、コマを表示させてから所定時間が経過していないと判断すると、ＣＰＵ９は、ユーザによって新たなコマ（動画フレーム）が選択されたか否かを判断する（ステップＳ１０）。このとき、ユーザは表示されている動画フレーム選択バーを見ながら、十字キーを操作することによりコマを選択することができ、ＣＰＵ９は、ユーザの操作に基づいてコマが選択されたか否かを判断する。
【００３５】
ステップＳ１０で、新たなコマが選択されていないと判断するとステップＳ９に戻り、現在表示させているコマを表示させてから所定時間が経過したかを判断する。
一方、ステップＳ１０で、新たなコマが選択されたと判断すると、ＣＰＵ９は、該選択されたコマを画像表示部１４に新たに表示させてから（ステップＳ１１）、ステップＳ９に戻り、該新たに表示させたコマが表示されてから所定時間が経過したか否かを判断する。
【００３６】
一方、ステップＳ９で、コマを表示させてから所定時間が経過したと判断すると、ＣＰＵ９は、該表示させているコマ（該選択しているコマ）に基づいて音声のリピート再生を開始する（ステップＳ１２）。
この該選択されたコマに基づいてのリピート再生とは、該選択されたコマに対応する音声の時間軸の位置と、動画編集設定モードおいて設定したリピート再生時間及びリピート再生方向とによって定められる範囲の音声を、設定したリピート再生スピードでリピート再生することをいう。
【００３７】
例えば、選択されたコマの前後の音声が「こんにちは、山田さん。お久しぶりです、お元気ですか？」という音声であって、選択されたコマに対応する音声が山田さんの「ん。」である場合に、リピート再生時間を「２秒」、リピート再生スピードを「やや遅く」、リピート再生範囲を「前」と設定されている場合は、該選択されたコマに対応する音声の時間軸の位置と該位置から２秒前の位置との間の音声を、やや遅いスピードでリピート再生することになる。この場合は、「こんにちは、山田さん。」という音声がやや遅いスピードでリピート再生されることになる。
また、逆にリピート再生範囲が「後」と設定されている場合は、該選択されたコマに対応する音声の時間軸の位置と該位置から２秒後の位置との間の音声を、やや遅いスピードでリピート再生することになる。この場合は「ん。お久しぶりで」という音声がやや遅いスピードでリピート再生されることになる。
【００３８】
このように、ユーザがリピート再生時間を設定することができるので、ユーザにとって適度な時間の音声をリピート再生することができる。また、ユーザがリピート再生スピードを設定することができるので、ユーザが聞き取りやすい速度で音声をリピート再生することができる。また、ユーザがリピート再生方向を設定することができるので、ユーザが所望する方向（前又は後）の音声をリピート再生することができる。
【００３９】
ステップＳ１２で、リピート再生開始を行なうと、ＣＰＵ９は、ユーザによって該選択されているコマ（表示されている）が編集コマとして決定されたか否かを判断する（ステップＳ１３）。この判断は、ＳＥＴキーの操作に対応する操作信号がキー入力部１０から送られてきたか否かにより判断する。
この編集コマとは、動画データを削除する部分を決める基準となるコマ（編集ポイント）のことをいう。
【００４０】
ステップＳ１３で、該選択されているコマが編集コマとして決定されていないと判断すると、ＣＰＵ９は、ユーザによって新たなコマが選択されたか否かを判断する（ステップＳ１４）。上述したように、ユーザは表示されている動画フレーム選択バーを見ながら、十字キーを操作することによりコマを選択することができ、ＣＰＵ９は、ユーザの操作に基づいてコマが選択されたか否かを判断する。
ステップＳ１４で、新たなコマが選択されていないと判断するとステップＳ１３に戻り編集コマとして決定されたか否かを判断し、ステップＳ１４で、新たなコマが選択されたと判断すると、ＣＰＵ９は、該選択されたコマを画像表示部１４に新たに表示させてから（ステップＳ１５）、ステップＳ９に戻り、該新たに表示させたコマが表示されてから所定時間が経過したか否かを判断する。
【００４１】
このステップＳ８〜ステップＳ１３のループ中に、ユーザはコマを選択して音声のリピート再生を聞くことにより、丁度音声の区切りのいいコマを編集コマとして決定することができる。
一方、ステップＳ１３で、該選択されているコマが編集コマとして決定されたと判断するとステップＳ１６へ進む。
【００４２】
ここで、ユーザのコマの選択の方法の一例について説明する。
上述したように、選択した動画データの最初のコマを表示させてから、編集コマが決定されるまでの間（ステップＳ８〜ステップＳ１３のループ中）、ＣＰＵ９は、動画フレーム選択バーを画像表示部１４に表示させ、ユーザはこの表示を見ながら、十字キーを操作することによりコマを選択することができる。
【００４３】
図３（ａ）は、画像表示部１４に表示される動画フレーム選択バーの様子を示す図である。
図のバーは動画の時間軸を表わすものであり、一番左は動画データの最初のコマを、一番右は動画データの最後のコマを、その間は、動画データの最初のコマと最後のコマとの間のコマを示すものである。つまり、右に行けば行くほど後ろのコマとなる。
【００４４】
また、図の三角部は、現在選択されているコマの位置を示すものであり、ユーザが十字キーの操作をすることにより三角部が移動し、コマを新たに選択することができる。
例えば、ユーザが十字キーの「→」を１回押下すると、選択されるコマは現在選択されているコマ（現在表示されているコマ）の１つ後のコマが選択され、ユーザが十字キーの「←」を１回押下すると、選択されるコマは現在選択されているコマの１つ前のコマが選択される。
【００４５】
また、十字キーを長押しすると、選択されるコマがスキップして（例えば、１０フレームおきに）選択される。例えば、十字キーの「→」キーを長押しすると、現在選択されているコマから１０コマ後、２０コマ後、３０コマ後のコマが順次選択され、「←」キーを長押しすると、現在選択されているコマから１０コマ前、２０コマ前、３０コマ前のコマが順次選択されることとなる。
【００４６】
図２のフローチャートに戻り、ステップＳ１３で編集コマが決定されたと判断すると、ステップＳ１６に進み、ＣＰＵ９は、動画フレーム選択バーの表示を中止するとともに、ユーザによって選択された削除範囲（編集コマの前、又後）の指定が行なわれたか否かを判断する。ユーザが指定できる削除範囲としては編集コマの前と編集コマの後の２通りである。ここでは、編集コマとして決定されたコマに対応する音声は「こんにちは、山田さん。お久しぶりです、お元気ですか？」の「ん。」とする。
このとき、ＣＰＵ９は、画像表示部１４に削除範囲を指定させるための画面を表示させ、ユーザは十字キー、ＳＥＴキーの操作を行なうことにより削除範囲の指定を行なうことができ、ＣＰＵ９は、ユーザの操作に基づいて削除範囲が指定されたか否かを判断する。
【００４７】
ステップＳ１６で、削除範囲が指定されていないと判断すると指定されるまでステップＳ１６に留まり、削除範囲が指定されたと判断すると、指定された削除範囲の動画データ及び音声データを削除する（ステップＳ１７）。
例えば、削除範囲として指定された範囲を編集コマの後とすると、削除される動画データは、編集コマの後の動画データ（該編集コマは含まない）と、該削除される動画データ（動画フレーム）に対応する音声、言い換えるならば、「こんにちは、山田さん。お久しぶりです、お元気ですか？」のうち、「こんにちは、山田さん。」より後の音声データ、つまり、「お久しぶりです、元気ですか？」以後の音声データが削除される。これにより、「こんにちは、山田さん。」以前の音声データと該音声データに対応する動画データが残ることになる。
【００４８】
Ｃ．以上のように、実施の形態においては、動画編集モードにおいて、ユーザが動画フレームを選択し、所定時間が経過すると、該選択した動画フレームに対応する音声の時間軸の位置と、ユーザにより設定されたリピート再生時間及びリピート再生方向とによって定められる範囲の音声を、ユーザにより設定されたリピート再生スピードでリピート再生するようにしたので、音を優先した編集ポイントを簡易に決めることができる。
また、ユーザがリピート再生時間を設定することができるようにしたので、ユーザにとって適度な時間の音声をリピート再生することができる。また、ユーザがリピート再生スピードを設定することができるようにしたので、ユーザが聞き取りやすい速度で音声をリピート再生することができる。更に、ユーザがリピート再生方向を設定することができるようにしたので、ユーザが編集ポイントを決め易い方向（前又は後）の音声をリピート再生することができる。
【００４９】
［変形例］
Ｄ．上記実施の形態は以下のような態様でもよい。
（１）上記実施の形態においては、リピート再生時間とリピート再生方向を別々に設定してリピート再生範囲を定めるようにしたが、直接リピート再生範囲を定めるようにしてもよい。
例えば、図３（ｂ）に示すように、リピート再生範囲指定バーを画像表示させ、ユーザはこの表示を見ながら、十字キーを操作することによりリピート再生範囲（リピート再生時間及びリピート再生方向）を指定することができる。
【００５０】
図３（ｂ）のバーは時間軸（秒単位）を表わすものであり、０秒となっている位置は、選択される動画フレームに対応する音声の位置を示しており、＋方向は選択される動画フレームに対応する音声より後の音声を示しており、−方向は選択される動画フレームに対応する音声より前の音声を示している。
また、図の三角部は、指定するリピート再生範囲を示すものであり、ユーザが十字キーの操作をすることにより三角部が移動し、再生位置又は終了位置を選択することができる。
そして、ユーザが十字キーの「→」を操作すると、三角部は右に移動していき、「←」を操作すると三角部は左に移動する。
例えば、図に示すような位置に三角部がある場合には、リピート再生時間は２．５秒となり、リピート再生方向は「後」ということになる。
そして、ユーザがＳＥＴキーの操作を行なうと、現在三角部がある位置に基づいて、リピート再生時間、リピート再生方向が設定されることになる。
【００５１】
（２）上記実施の形態及び上記変形例（１）においては、リピート再生方向として「前」と「後」のどちらかしか設定することができなかったが、「前後」も設定することができるようにしてもよい。
この「前後」が設定された場合は、選択された動画フレームに対応する音声の前後の音声がリピート再生されることになる。
また、この場合は、リピート再生させる前後の音声時間の比率も設定することができるようにしてもよい。例えば、前後の比率が５０：５０の場合は、選択された動画フレームに対応する音声の前の音声の再生時間と、後の音声の再生時間とは同じになるし、前後の比率が１００：０の場合は、選択された動画フレームに対応する音声の前の音声のみが再生されるということになる。
また、変形例（１）における設定においては、三角部を＋側と−側とにそれぞれ設けることにより、この２つの三角部の位置を調整することにより前後の再生時間及び比率を設定することができる。
【００５２】
（３）また、上記実施の形態においては、編集コマとして１枚の動画フレームしか決定することができなかったが、編集コマとして２枚の動画フレームを決定することができるようにしてもよい。
この場合には、決定した編集コマの間のフレームとそれに対応する音声データを削除するようにする。
【００５３】
（４）また、上記実施の形態及び上記変形例（３）においては、リピート再生方向の設定の方法として「前」と「後」のどちらかを選択するようにしたが、「削除側」、「残る側（削除されない側）」のどちらかを選択するようにしてもよい。
この場合、上記変形例（３）の時に特に有効で、仮にリピート再生方向の設定方法として「前」「後」のうち、「前」を設定すると、図３（ｃ）に示すように、２つの編集コマのうち、時間軸が前の編集コマを決定する場合には残る側の音声がリピート再生され、時間軸が後の編集コマを決定する場合には削除側の音声がリピート再生されることになるが、「削除側」、「残る側」で選択すれば、このような不都合は生じない。
【００５４】
（５）また、上記実施の形態及び変形例（３）又は（４）においては、決定された編集コマに基づいて動画データ及び音声を削除するようにしたが、本発明は削除する場合に限定されず、画像加工、音声加工させるよう場合でも適用してもよい。つまり、編集ポイントを指定するものであればなんでもよい。
【００５５】
（６）また、上記実施の形態においては、動画編集設定モードにおいて、リピート再生時間やリピート再生速度等を設定するようにしたが（ステップＳ２〜ステップＳ４）、動画編集モードにおいて編集コマを探している最中（ステップＳ８〜ステップＳ１３のループ中）に、リピート再生時間やリピート再生速度等を設定することができるようにしてもよい。
【００５６】
（７）また、上記実施の形態におけるデジタルカメラ１は、上記の実施の形態に限定されるものではなく、カメラ以外の機器、例えば、携帯電話、ＰＤＡ、パソコン、ＩＣレコーダ等でもよく、動画を処理することができる機器であれば何でもよい。
【図面の簡単な説明】
【００５７】
【図１】本発明の実施の形態のデジタルカメラのブロック図である。
【図２】実施の形態のデジタルカメラ１の動作を示すフローチャートである。
【図３】動画フレーム選択バーを示す図、及び、変形例を説明するための図である。
【符号の説明】
【００５８】
１      デジタルカメラ
２      撮影レンズ
３      レンズ駆動ブロック
４      ＣＣＤ
５      ドライバ
６      ＴＧ
７      ユニット回路
８      画像生成部
９      ＣＰＵ
１０    キー入力部
１１    メモリ
１２    ＤＲＡＭ
１３    フラッシュメモリ
１４    画像表示部
１５    音声処理部
１６    バス
【図１】
0004654947.tif 000002
【図２】
0004654947.tif 000003
【図３】
0004654947.tif 000004